(57)【要約】ハウジング（１１，１２）と、新しい注射器をハウジングから取り出すための出口（４９）と、注射器をハウジングに戻すための入口（１９）と、使用済みの注射器がハウジングに戻されるまで、次の注射器がハウジングから取り出されるのを防ぐ保持手段（３４，３５）とからなっている医療用注射器の容器。容器は、特に注射針を交換するプログラムに有用なものである。
2006508700.tif 000002
【特許請求の範囲】
【請求項１】
ハウジングと、ハウジングから新しい注射器を取り出することができる出口と、ハウジングへ注射器を戻すことができる入口と、注射器がハウジングに戻されるまで、ハウジングから次の注射器を取り出せないようにする保持手段と、を包含している医療用注射器の容器。
【請求項２】
ハウジングへ注射器を戻すと、次の注射器が、出口へ向けて保持手段を通過して、出口から取り出すことができるようになっている、請求項１の容器。
【請求項３】
保持手段は、注射器が出口に移動しないようにする弾性のタブであり、該タブは、注射器がハウジングに戻されると、注射器がタブを通れるようにしている、請求項２の容器。
【請求項４】
ハウジングは、容器中の注射器同士を並べて支持し、且つ、注射器を入口から出口へと移動させることができる、注射器支持部、を包含している請求項２の容器。
【請求項５】
注射器支持部は、一対の間隔を開けて設けられたレールを包含しており、レールは、その間に、注射器から通常は横向きに延びているタブによって注射器を支持するようになっており、レールは、その間で注射器本体を摺動させることができる距離だけ離れている、請求項４の容器。
【請求項６】
ハウジングは、一緒に強くにぎられるように調整された、内側ハウジング部分と外側ハウジング部分である２つの部品と、各部品を離すようにハウジング部分をバイアスするバイアス手段とを包含しており、内側ハウジング部分が注射器支持部を有している請求項５の容器。
【請求項７】
入口が、戻される注射器をハウジング内へ導くガイド手段を、内包している請求項１の容器。
【請求項８】
ガイド手段が、入口の一方の縁から延びて、片持ちにされている、傾斜を付けられたフラップである、請求項７の容器。
【請求項９】
注射器のみ入口を通過させるよう、入口に隣接して設けられていた、制限手段、を包含している請求項１の容器。
【請求項１０】
２本から１０本の注射器を並べて保持するようになっている請求項１の容器。
【請求項１１】
容器に戻される使用済みの注射器を容器内の新しい注射器から分離するように機能する仕切りを、ハウジング内に含んでいる、請求項１の容器。
【請求項１２】
注射器が、注射器のプランジャーを押し込むとシュートバックするよう作動するシュートバック針、を有するタイプの使い捨て注射器であり、容器の入口は、戻された注射器を容器に差し込むことによって、注射器のシュートバック機能を作動させる作動手段を備えている、全ての戻された注射器を確実に使えないようにする請求項１の容器。
【請求項１３】
作動手段は、注射器を差し込むことを妨げる、入口付近に設けられたフラップを備えており、これにより、注射器は、プランジャーを押し込むことによって、未だ使える状態で戻された注射器のシュートバック機能を作動させるような力を、受けるようになっている請求項１２の容器。
【発明の詳細な説明】
【発明の詳細な説明】
【０００１】
[発明の分野]
本発明は、複数の注射器を保持する医療用注射器の容器に関するものであり、使用済みの注射器が容器に入れられたときにだけ、新しい注射器を容器から取り出せるように設計されているものである。このことは、容器を、特に注射針を交換するプログラムに有用なものにする。
【０００２】
[従来技術]
医療用注射器の容器（また、注射針のケースとして知られているもの）は、従来から知られている。容器は、使用前の損傷から注射器を保護するように機能する。典型的には、容器は、複数の注射器を保持できる硬いハウジングを包含している。ハウジングは、開くことができ且つ何本でも注射器を取り出すことができる。また、これらの容器は、使用済みの注射器を収容することもできる。
【０００３】
これらの容器の欠点は、注射針を交換するプログラムには向いていないことである。注射針を交換するプログラムにおいては、新しい注射針（注射針を内包する注射器のことである）は、使用済みの注射器が戻されたときにだけ与えられる。これら周知の容器は、新しい注射器が与えられる前に、使用済みの注射器が戻されることを確実にする機構を備えていない。
【０００４】
また、人は、使用済みの注射器を戻すことなく、新しい注射器を得ようとしがちである。従来の容器では、このタイプの悪用に対する安全措置がとられて無かった。たとえ、容器がロックされていても、無理に開いて新しい注射器を取り出すことができた。
【０００５】
[発明の目的]
本発明は、複数の注射器を収容する医療用注射器の容器であって、最初の注射器を取り出した後、使用済みの注射器を容器に戻さないと、次の注射器が取り出せないようになっている医療用注射器の容器に関する。
【０００６】
本発明は、また、上述した欠点の幾つかを解決し、又は、実用的で、商業上利用できるという公益を提供する医療用注射器の容器を提供することを目的とする。
【０００７】
ある実施例において、本発明は、ハウジングと、ハウジングから新しい注射器を取り出すことができる出口と、注射器をハウジングに戻すことができる入口と、注射器がハウジングに戻されるまで、次の注射器がハウジングから取り出されるのを防ぐ保持手段とからなっている医療用注射器の容器に属する。
【０００８】
従って、このタイプの容器は、新しい注射器を利用する前に、注射器（典型的には、使用済みの注射器）が戻されることが必要になる。
【０００９】
容器は、複数の注射器を保持することができ、且つ、典型的には、２〜１０個の注射器を保持することができる。注射器は、並べることができ、典型的には、一直線に並べることができる。従って、注射器は、典型的には、ハウジング内で、一列に並べられている。ハウジングは、２以上の列を内包していてもよく、好ましくは、注射器は、全て、頂部同士、底部同士が並ぶようになっている、と考えられる。
【００１０】
ハウジングは、頂部の壁、底部の壁、１対の側壁からなっている。注射器は、典型的には、頂部の壁が注射器のプランジャー尾部の上になり、底部の壁が注射器の注射針の隣接位置になるように、ハウジング内に配置されている。
【００１１】
ハウジングは、外側ハウジング部分と、内側ハウジング部分とからなっている。都合よく、これらの部分は互いに摺動できるようになっている。都合よく、内側ハウジング部分は、入口を内包し、外側ハウジング部分は、少なくとも出口の一部を内包する。
【００１２】
何れか一方を選択する場合において、ハウジングは、１つの部品で構成されるハウジングであってもよいし、頂部の壁に入口が設けられてもよい。典型的には、側壁に出口が設けられる。
【００１３】
ガイド手段は、ハウジング内にある注射器と並ぶ位置になるように、注射器をハウジング内へ導くように、入口に結合されている。ガイド手段は、入口に結合されている、傾斜した壁、正面又は側面を包含している。都合よく、ガイド手段は、ハウジングの中に延びている。
【００１４】
制限手段は、入口に結合されていてもよい。制限手段は、注射器だけが入口を通れるように機能する。これは、新しい注射器を得ようとして注射器以外のものを挿入する人が、成功することを減ずることができる。制限手段は、注射器が入口を通ることができるように、注射器の形状を鍵として用いる、特別に設計された、“鍵穴”状の開口を備えている。制限手段は、また、注射器を、例えば、ハウジング内にある時に、各側壁に向かって延びる注射器の側方のタブによって、特定の方向となるように、ハウジング内へ導くように機能する。これは、以下に詳細に説明される。
【００１５】
ハウジングが２つの部品で構成されている場合、内側ハウジング部分は、注射器を、並べた、且つ、ある方向に整列された状態で保持するように機能する。内側の部分は、底部の壁と、一対の側壁と、内側の終端壁と、外側の終端壁と、実質開口している頂面とを包含している。注射器は、典型的には、外側の終端壁の隣接位置から、内側の終端壁の隣接位置へと、注射器が、移動できるような手法によって、内側の部分に支持されている。これを達成することができる種々の手法が考えられる。例えば、内側の部分は、注射器の上部を支持する上部支持手段を備えていてもよい。上部支持手段は、タブによって、注射器を支持してもよい。上部支持手段は、棚（リッジ）、レール、台座（プラットフォーム）、溝と溝の平坦部分（ランドポーション）等を包含してもよい。都合よく、支持手段は、一対の間隔を開けて設けられているレールであって、一方のレールが内側の部分の一方の側壁上に位置し、他方のレールが内側の部分の他方の側壁上に位置しているものを包含しており、該レールは、レールの間を注射器本体が摺動させることができる間隔を開けて設けられていて、該注射器は、注射器本体の両側から延びるタブによって支持されている。
【００１６】
一方又は両方のレールが他方のレールの作動機構を形成するものであってもよい。従って、実施例において、一方の又は両方のレールは、最前列に位置する注射器が出口から取り出すことができるように、少しだけ前方に押し出すことができる。
【００１７】
容器は、典型的には、幾つかの形態の保持手段を有している。保持手段は、使用済みの注射器が入口から容器に戻される前に、新しい注射器が出口から取り出される（且つ、容器から取り出される）ことを防止するように機能することができる。保持手段は、ハウジングを強く振動させたり、ハウジングを硬い面に当てた場合であっても、不必要な振動を与え、新しい注射器を出口に押し出したりしないように、ハウジング内の注射器を保持するように機能することができる。しかし、保持手段は、一旦、使用済みの注射器が容器に戻されると、注射器を出口から取り出すことができるように設計されている。種々の形式の保持手段を考えることができる。例えば、保持手段は、迫台（アバットメント）、突起物、リブ、フラップ、キャッチ、ラッチ等、注射器が出口へと移動するのを防ぐものからなっていてもよい。都合よく、保持手段は、自由な位置へと移動されるもの、即ち、注射器を出口に移動することができる位置になるように、変形したり、折り曲げたり、捻ったりされるものであってもよい。保持手段は、バイアスされた部品を包含してもよい。バイアスされた部品は、容器の他の部分と一緒に形成されていてもよく、分離部品を包含するものであってもよい。分離部品は、小さなボールベアリングで代用してもよい。ボールベアリングは、注射器が該ボールベアリングを通って移動しないように、注射器に係合するようにバイアスされているが、注射器に与えられる力によって押し下げることができる。典型的には、保持手段は、１以上の変形可能なフラップ、迫台（アバットメント）、棚（リッジ）、迫台用の段（ショルダー）、リブ等の支持手段の上又は隣接位置に設けられてもよい。
【００１８】
容器は、注射器本体、プランジャー、針を包含しているタイプの家庭医療用注射器として設計されている。容器は、針が刺さるのを防止する手段や、これに相当する手段を有する従来の注射器を収容することができる。針が刺さるのを防止する手段を有している典型的な注射器は、プランジャーが注射器本体の順方向に完全に押し込まれた場合に、注射器本体へとシュートバックするタイプのシュートバック針を有する注射器を包含している。シュートバック注射器のあるタイプは、先の国際出願PCT/AU01/00183に記載されている。しかし、容器は、この特定のタイプの注射器に限定する必要はない。
【００１９】
容器の安全性を高めるため、手段は、容器を開けようとした場合に、注射器を使えなくする物でもよい。ある好ましい手段は、特別な設計の注射器と、特別な設計の容器を包含している。注射器、即ち、特別な設計の注射器は、典型的には、プランジャーの順方向への移動に伴いシュートバックするシュートバック針を有する注射器と、容器を無理に開けようとした場合に、シュートバック機構を“トリガ”（作動）させる手段を備えている容器とからなっている。これについては、後に詳しく説明する。
【００２０】
容器は、新しい針と使用済みの針とを保持するように設計されており、容器内で使用済みの針と新しい針とを分ける仕切りが設けられている。仕切りは、最初に、最後の新しい針の後ろに位置し、且つ、使用済みの針が入口から入れられると、容器に沿って段々と移動する摺動仕切りであって、出口を介して“空”の状態を視覚的に示すように明るい色が付されている。
【００２１】
[図面の簡単な説明]
本発明の実施例は、以下の図面を参照しつつ説明される。
【００２２】
図１ａと図１ｂとは、注射器が充填され（図示せず）且つ初期状態にある、２つの部品で構成されている容器の、正面図と背面図とを示す。
【００２３】
図２ａと図２ｂとは、出口に最初の新しい注射器が現れるように、一緒に強くにぎった状態の２つの部品で構成されている容器を示す。
【００２４】
図３ａと図３ｂとは、最初の注射器が出口から取り出された状態の容器を示す。
【００２５】
図４ａと図４ｂとは、更に、強くにぎった状態の容器を示すものであり、使用済みの針が容器に戻されていないため、次の針が現れていない状態を示す。
【００２６】
図５ａと図５ｂとは、使用済みの注射器を通す入口が現れるように、２つの部品を移動させた状態の容器を示す。
【００２７】
図６は、図１ａの位置の容器の端部の立面図を示す。
【００２８】
図７は、図１ａに示された位置の容器の断面図である。
【００２９】
図８は、図２ａに示された位置に示されている容器の断面図である。
【００３０】
図９は、図３ａに示された容器の断面図である。
【００３１】
図１０は、入口から差し込まれた使用済みの針を示し、該針が新しい注射器を、ハウジングを通して押し出した状態の容器の断面図である。
【００３２】
図１１は、内側ハウジング部分の正面図である。
【００３３】
図１２は、内側ハウジング部分の背面図である。
【００３４】
図１３は、内側ハウジング部分の平面図である。
【００３５】
図１４は、外側ハウジング部分の正面図である。
【００３６】
図１５は、外側ハウジング部分の背面図である。
【００３７】
図１６は、摺動仕切りを示す図である。
【００３８】
図１７は、本発明の第２実施例の医療注射器用容器を示し、該容器は１つの部品で構成されているハウジングを内包するものであり、且つ、内部が見えるように示すものである。
【００３９】
図１８は、図１７の容器の端部の立面図を示す。
【００４０】
図１９は、図１７の容器の平面図である。
【００４１】
図２０は、第１の新しい注射器を取り出した後、次の注射器が前に出てきていない状態の図１７の容器を示す。
【００４２】
図２１は、使用済みの注射器が、入口に差し込まれた状態の図２０の容器を示す。
【００４３】
図２２は、使用済みの注射器が入口に更に差し込まれ、次の新しい注射器が前に出てきだしている状態の図２１の容器を示す。
【００４４】
図２３は、使用済みの注射器が完全に入口に差し込まれ、次の新しい注射器が取り出せる状態の図２２の容器を示す。
【００４５】
最良の実施例
第１実施例は、最初に図１〜１６を引用する。最初に図７を引用すれば、２つの部品で構成されている医療注射器の容器であって、ハウジングが、内側ハウジング部分１１（最良のものが図１１と図１２に示されている。）と、外側ハウジング部分１２（最良のものが図１４と図１５に示されている。）と、を包含しているものが示されている。内側ハウジング部分１１は、硬い合成樹脂から形成されており、実質箱形の外形であって、底部の壁１３と、一対の側壁１４，１５と、内側の終端壁１６と、外側の終端壁１７と、実質開口している頂面１８とからなっている。内側ハウジング部分１１は、使用済みの注射器を容器に入れるための入口１９を内包している。一対の指形小片状のばね２０を形成するバイアス手段は、内側ハウジング部分１１の各側壁１４，１５から延び、内側の終端壁１６に向けて延びる。一対の指形小片状のばね２０は、外側ハウジング部分１２をバイアスして、後に詳細に説明するように、２つの部品を、バネのバイアスに抗して、一緒に強くにぎることができるようにする。
【００４６】
内側ハウジング部分１１は、医療注射器２１〜２５を保持しており、特に実施例では、容器は、５本の注射器を保持している。当然、容器は、５本の注射器のものに限定されない。
【００４７】
注射器は、容器の中で並べて置かれ、注射器は、注射針が同じ向きに向きで且つプランジャーの尾部が同じ向きに並ぶという意味で、全て整列して並べられている。実施例において、各注射器は、注射器本体２６と、注射針のキャップ２７（注射針を内部に備えている）を有しており、内側のプランジャーは、キャップ２９によって保護されているプランジャーの尾部２８を有している。キャップ２９とキャップ２７とは、使用するまでの間、注射器を誤動作しない安全な状態に維持する。キャップ２９は、後に詳細に説明するように、特定の形状のものでなくても良い。
【００４８】
注射器２１〜２５は、タブ３０を介して内側ハウジング部分１１の内側で支持されている。タブ３０は、従来、注射器本体の両側から延びて、人差し指と中指によって挟持され且つ親指によってプランジャーを押し下げるのに使用される。
【００４９】
内側ハウジング部分は、図７に示すように並べた状態で注射器の側部を支持する支持手段を備えている。支持手段は、図１１と図１３に最良のものが示されている、一対の間隔を開けて並列に並ぶレール３１，３２で構成されている。レール３１，３２は、内側ハウジング部分に全体が設けられており、注射器本体２６をレール３１，３２の間に滑り込ますことができる十分な間隔を開けて設けられている。レール３１，３２は、注射器が、隣り合う外側の終端壁１７から内側の壁１６へと、内側ハウジング部分に沿って摺動することができるように、各注射器の上のタブ３０を支持する。
【００５０】
開口している頂面１８は、容器の外側の部分３３（図１２を参照）の一部を形成する。レール３１，３２は、注射器が、レールに沿って外側の部分３３へ摺動することができ、容器から取り出すことができるように、外側の部分３３に沿って延びている。保持手段は、使用済みの注射器がハウジングに戻されるまで、ハウジングから次の注射器２２を取り出せないようにする手段である。実施例において、保持手段は、一対の内側に傾斜の付けられている弾性のタブ３４，３５（図１１〜１２）を包含しており、該タブ３４，３５は、レール３１，３２の上に設けられ、両側の壁１４，１５に取り付けられている。タブ３４，３５は、内側ハウジング部分１１にある注射器が、出口部分３３へと摺動するのを防止する。従って、タブ３４，３５の機能は、使用済みの注射器が入口１９を介して押し込まれるまで、新しい注射器が出ないようにするものである。このことは、後に詳細に説明する。
【００５１】
入口１９は、傾斜しているフラップ３６を形成するガイド手段を備えている。フラップ３６は、また、図７に示されており、蝶番部分３７で外側の終端壁１７の頂部に蝶番式に取り付けられている。フラップ３６は、図７に示すように、一部分が取り付けられている（開放）位置に、バイアスする指形小片３８によって、バイアスされている。フラップ３８の機能は、内側ハウジング部分１１内において、使用済みの注射器を中へと導くと共に、新しい注射器を取り出せるようにすることであり、更には、使用済みの注射器が入口１９に差し込まれると同時に、使用済みの注射器に対してバイアス動作、即ち、押し出す動作を行うことである。一端、使用済みの注射器が内側ハウジング部分１１に完全に差し込まれると、フラップ３６は、図１０に示す位置へと移動し、フラップ３６の最下端の自由端３９が注射器のタブ３０の上になり、使用済みの注射器が入口１９から取り戻せないようにする。
【００５２】
フラップ３６は、注射針が差し込まれることを妨げる。これは、プランジャー上に、注射針を押さえつけるような力を作用させる。この動作は、注射器のシュートバック機構を“トリガ”（作動）することができる。従って、注射器が使用されたにもかかわらず、シュートバック機構が作動しない場合、あるいは、未使用の注射器が、入口を介して差し込まれた場合、シュートショック機構が“トリガ”（作動）して、これらの注射器は使うことができなくなる。
【００５３】
入口１９は、また、入口１９を介して使用済みの注射器以外のものが差し込まれるのを防止又は排除する制限手段を備える。典型的には、制限手段は、注射器の形状のものだけが入口１９を通過することができるように、設計、即ち“鍵穴化”された開口１９を包含している。
【００５４】
仕切り壁４０は、部分１１内に設けられており、最良の仕切り壁４０が図１６に示されている。仕切り壁４０は、使用済みの注射器から新しい注射器を分ける本体４１と、レール３１，３２に沿って乗せることができるように狭められた部分４２とを有する。
【００５５】
容器は、図１４，１５に最良のものが示されている、外側ハウジング部分１２を、含んでいる。外側ハウジング部分１２は、実質箱形の外形であって、頂部の閉ざされた壁４３と、一対の対向する側壁４４，４５と、実質閉ざされている正面の壁４６と、実質開口している終端壁４７とを含んでいる。頂部の壁４３の前方の端部と、正面の壁４６の上部とは、出口４９の部分を特定する階段状の部分を特定する。出口４９は、限定された頂部５０を有する。外側ハウジング部分は、実質閉ざされた底部の壁５１を有している。底部の壁５１（図７に最良のものが示されている）は、容器を無理に開けようとした場合に、注射器を使用できなくするものであって、後に詳しく説明される手段の一部を形成する、後ろ向きに傾斜の付けられた部分５２を有している。
【００５６】
底部の壁５１は、前方のストップ、即ち、ショルダー５３であって、内側の部分と外側ハウジング部分とを一緒に強くにぎることができる距離を特定するショルダー５３を有している。
【００５７】
最初に、容器は、図７と図１ａとに示すように、５つの新しい注射器を内包している。出口４９は、実質タブ５４によって覆われている。タブ５４は、内側ハウジング部分１１の内側の終端壁１６の前方に延びており、最良のタブ５４が図１１，１２に示されている。
【００５８】
新しい注射器を取り出す一連の動作が図１〜５に示されており、以下に説明する。
【００５９】
新しい注射器を取り出すため、外側ハウジング部分１２と、内側ハウジング部分１１とは、片手で実行できる動作によって、一緒に強くにぎられる。２つの部品は、外側ハウジング部分１２の正面の壁４６に対してバイアスをかける指形小片（フィンガー）２０によって、互いに離れるようにバイアスされている。２つの部品が一緒に強くにぎられた場合、容器は、図２ａ，２ｂ、更には、図８に示されるような位置になる。この位置において、最初の注射器２１は、前方に押し出され、出口４９へと延びる。タブ５４は、内側ハウジング部分１１の正面に取り付けられているため、前方に押し出される。これによって、注射器２１は、人の手によって出口４９の外側に取り出すことができるようになる。重要なことに、最初の注射器２１は、妨害（ホールドバック）タブ３４，３５の前方に置かれ、これによって、注射器２１を取り出すことができるようになる。残りの注射器２２〜２５は、妨害タブ３４，３５の後ろ側に位置し、レール３１，３２に沿って出口へと進めることができないようになっている。従って、図４ａと図９とに示すように、一旦、最初の注射器が取り出された場合、残りの注射器２２〜２５は、正しい位置にとどまっている。
【００６０】
容器をにぎる力が弛められると、内側ハウジング部分１１は、（指形小片のばね２０の作用によって）元の位置に戻り、タブ５４が出口４９を実質覆う状態に戻る。これは、図５ａに示す位置であり、容器内が４本の注射器を内包し、１本の注射器が取り出された状態であることを除いて図１ａに示す位置と同一である。
【００６１】
重要なことに、容器は、再び、内側ハウジング部分と、外側ハウジング部分とが一緒に強くにぎられても、注射器２２は、タブ３４，３５によって妨害され、出口４９に出てくることはない。その結果、一旦、最初の注射器が取り出されると、残りの注射器を代わりに取り出すことはできない。
【００６２】
内側ハウジング部分は、外側ハウジング部分の底の壁に設けられている階段状の段５３と係合する底の突起部５５によって、外側ハウジング部分が完全に外側に出てしまうのを防いでいる。
【００６３】
妨害タブ３４，３５を通り、出口４９に向けて、新しい注射器２２を押し出すには、（典型的には、使用済みの）注射器が入口１９に差し込まれることが必要である。これは、最良の実施例が図１０に示されている。使用済みの注射器５６は、最良のものが図１０に示されているが、入口１９を通り押し込められ、フラップ３６の働きによって新しい注射器２２〜２５と同じ向きの平行な位置に導かれる。使用済みの注射器５６が入口１９に差し込まれると、注射器５６は、内側の仕切り壁４０に接し、壁４０を前方に移動する。この動作は、各新しい注射器２２〜２５を、使用済みの注射器５６の幅と同じ距離だけ、前方に移動させる。この前向きな力は、次の新しい注射器２２が妨害フラップ３４，３５を通るように押し、外側ハウジング部分と内側ハウジング部分とが、一緒に強くにぎられた場合に、次の新しい注射器が取り出せるようにする。
【００６４】
一旦、次の新しい注射器２２が取り出されると、妨害フラップ３４，３５は、入口１９に、次の使用済みの注射器が差し込まれるまでは、次の新しい注射器が取り出せないようにする。
【００６５】
全ての新しい注射器が取り出され、容器が使用済みの注射器だけを内包するようになるまで、一連の流れが続けられる。
【００６６】
特に実施例の容器は、また、外側ハウジング１２の外側の内側ハウジング部分１１を引き出そうとした場合に、新しい注射器を使用できないようにする手段を有している。この手段は、シュートバック針を有するタイプの注射器を必要とし、このタイプの注射器は、本願出願人による最近の出願PCT/AU01/00183に記載されているが、他のシュートバック注射器を用いることもできる。これらの注射器は、注射針をシュートバック位置へとバイアスすることによって用いられ、プランジャーが完全に押し込められるまで、シューティングバックしないように注射針を保護する注射針保持手段の幾つかの形態を有する。一旦、プランジャーが完全に押し込められると、保持手段は、除去され、注射針がシュートバックする。実施例では、外側ハウジング部分１２の底部の壁５１は、図７，１５，１０に示されているように、上に向かって傾斜の付けられた部分５２を備えている。各新しい注射器は、注射器を使用できないようにするキャップ２９を備えており、重要なことは、キャップ２９は、プランジャーを完全に前方に押し下げる力がかけられているときに、変形し得るものであり、注射針をシュートバックさせ、この結果、注射器を安全な物にするものである。従って、ハウジング部分１２の外にある内側ハウジング部分１１を引き出そうとした場合、新しい注射器が傾斜の付けられた部分５２に乗り上げ、注射器を上方に押し上げ、プランジャーのキャップ２９を変形させて、プランジャーを注射器本体に完全に押し込み、これによってシュートバック針を作動して、注射器を使用できなくする。
【００６７】
図１７〜２３は、本発明の第２実施例を示している。この実施例では、医療用注射器の容器は、閉ざされた底部の壁６１と、閉ざされた終端壁（便宜上、内部の終端壁という）６２と、一対の閉ざされた対向する側壁６３，６４と（図示する実施例では、一方の側壁が、容器の内部構成を見ることができるように取り除かれている）、実質閉ざされた状態の頂部の壁６５と、を有する単一のハウジング６０と、開口している終端壁６６（便宜上、外部の終端部という）とを備えている。
【００６８】
頂部の壁６５は、入口６７を内包しており、開口している、外部の終端壁６６は、出口（便宜上、参照番号６８が付されている）を包含してる。容器６０は、容器内に複数の注射器を保持する支持手段を備えている。特に、実施例では、５本の注射器６９〜７３が示されているが、これに限定する物ではない。
【００６９】
支持手段は、間隔を置いて設けられている一対のレール７４，７５（最良のものが図１８に示されている）から構成されている。特に、実施例では、注射器は、一対のレール７４，７５を包含している上部支持手段と、一対のレール７６，７７を包含している下部支持手段によって支持されている。一方のレール７５，７７は、一体形成、又は、それぞれ側壁に固定されており、他方のレール７４，７６は、片持ちにされており、レール７５，７７から離れる向きに移動することができるようになっている。レール７４，７５は、注射器本体７８がレールの間を摺動することができる十分な間隔を開けて設けられている。注射器のタブ７９は、レール７４，７５上に延び、容器内で注射器を支持する。
【００７０】
レール７４，７５は、図１７に示すＸの位置から、図１７に示すＹの位置へと注射器が摺動するのを防止する小突起やタブを包含している保持手段を備えている。
【００７１】
使用時、側壁が図１７と図２０に示される凹部８０を備えているため、最初の新しい注射器６９は、出口６８の外に単純に押し出される。凹部８０は、最初の注射器６９が、人の手によって注射器本体の回りがにぎられるようにし、容器から取り出せるようにする。重要なことに、次の注射器７０は、保持手段によってＸの位置に保持されるため、Ｘの位置からＹの位置へと進まない。使用済みの注射器８１（図２１〜２３を参照）は、次の注射器７０がＹの位置に進む前に入口６７に戻されることが必要であり、これによって次の注射器７０が取り出せるようになる。一連の動作として、新しい注射器８１は、入口６９を通って押し出され、バイアスされたフラップを包含しているガイド手段８２によって、ハウジング内の注射器にかみ合うように導かれる。注射器８１が入口６７を通って更に押し出されると、注射器７３の背を押す力が作用し、容器内の他の各注射器に対して、押し出す力が作用する。一旦、新しい注射器８１が、容器に完全に押し込まれると、他の注射器を押し出す動作は、次の新しい注射器７０がＸの位置にある妨害手段を通過して、出口６８から注射器を取り出すことのできるＹの位置へと移動させるのに十分な力を作用させる。Ｙの位置における最も前方のエッジは、また、軽い振動によって、容器から新しい注射器が飛び出すのを防止する、小さな内向きの弾性のタブや突起８３を備えている。代わりに、注射器は、人の手で強くつかみ、小さな突起８３の働きに対抗して容器の外に引き出す必要がある。
【００７２】
種々の変更や改良が、本発明の範囲を逸脱することなく説明した実施例からつくることができる。例えば、容器は、容器内の新しい注射器の数を視覚的に認識しうるような窓のような視覚認識手段を内包していてもよい。
【図面の簡単な説明】
【００７３】
【図１ａ】注射器が充填され（図示せず）且つ初期の位置状態にある２つの部品で構成されている容器の、正面図を示す。
【図１ｂ】注射器が充填され（図示せず）且つ初期の位置状態にある２つの部品で構成されている容器の、背面図を示す。
【図２ａ】出口に最初の新しい注射器が現れるように、一緒に強くにぎった状態の２つの部品で構成されている容器を示す。
【図２ｂ】出口に最初の新しい注射器が現れるように、一緒に強くにぎった状態の２つの部品で構成されている容器を示す。
【図３ａ】最初の注射器が出口から取り出された状態の容器を示す。
【図３ｂ】最初の注射器が出口から取り出された状態の容器を示す。
【図４ａ】更に、強くにぎった状態の容器を示すものであり、使用済みの針が容器に戻されていないため、次の針が現れていない状態を示す図である。
【図４ｂ】更に、強くにぎった状態の容器を示すものであり、使用済みの針が容器に戻されていないため、次の針が現れていない状態を示す図である。
【図５ａ】使用済みの注射器を通す入口が現れるように、２つの部品を移動させた状態の容器を示す。
【図５ｂ】使用済みの注射器を通す入口が現れるように、２つの部品を移動させた状態の容器を示す。
【図６】図１ａの位置の容器の端部の立面図を示す。
【図７】図１ａに示された位置の容器の断面図である。
【図８】図２ａに示された位置に示されている容器の断面図である。
【図９】図３ａに示された容器の断面図である。
【図１０】入口から差し込まれた使用済みの針を示し、該針が新しい注射器を、ハウジングを通して押し出した状態の容器の断面図である。
【図１１】内側ハウジング部分の正面図である。
【図１２】内側ハウジング部分の背面図である。
【図１３】内側ハウジング部分の平面図である。
【図１４】内側ハウジング部分の正面図である。
【図１５】外側ハウジング部分の背面図である。
【図１６】摺動仕切りを示す図である。
【図１７】本発明の第２実施例の医療注射器用容器を示し、該容器は１つの部品で構成されているハウジングを内包するものであり、且つ、内部が見えるように示すものである。
【図１８】図１７の容器の端部の立面図を示す。
【図１９】図１７の容器の平面図である。
【図２０】第１の新しい注射器を取り出した後、次の注射器が前に出てきていない状態を示す。
【図２１】使用済みの注射器が入口に差し込まれた状態の図２０の容器を示す。
【図２２】使用済みの容器が入口に更に差し込まれ、次の新しい注射器が前に出てきだしている状態の図２１の容器を示す。
【図２３】使用済みの注射器が完全に入口に差し込まれ、次の新しい注射器が取り出せる状態の図２２の容器を示す。
【図１ａ】
2006508700.tif 000003
【図１ｂ】
2006508700.tif 000004
【図２ａ】
2006508700.tif 000005
【図２ｂ】
2006508700.tif 000006
【図３ａ】
2006508700.tif 000007
【図３ｂ】
2006508700.tif 000008
【図４ａ】
2006508700.tif 000009
【図４ｂ】
2006508700.tif 000010
【図５ａ】
2006508700.tif 000011
【図５ｂ】
2006508700.tif 000012
【図６】
2006508700.tif 000013
【図７】
2006508700.tif 000014
【図８】
2006508700.tif 000015
【図９】
2006508700.tif 000016
【図１０】
2006508700.tif 000017
【図１６】
2006508700.tif 000018
【図１１】
2006508700.tif 000019
【図１２】
2006508700.tif 000020
【図１３】
2006508700.tif 000021
【図１４】
2006508700.tif 000022
【図１５】
2006508700.tif 000023
【図１７】
2006508700.tif 000024
【図１８】
2006508700.tif 000025
【図１９】
2006508700.tif 000026
【図２０】
2006508700.tif 000027
【図２１】
2006508700.tif 000028
【図２２】
2006508700.tif 000029
【図２３】
2006508700.tif 000030
【国際調査報告】
2006508700.tif 000031
2006508700.tif 000032